【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
潤滑油ベースストック組成物であって、
少なくとも９００°Ｆ（４８２℃）のＴ１０蒸留点と；
少なくとも８０の粘度指数と；
少なくとも９０重量％の飽和含有量と；
３００ｗｐｐｍ未満の硫黄含有量と；
少なくとも１４ｃＳｔの１００℃における動粘度と；
少なくとも３２０ｃＳｔの４０℃における動粘度と；
−２℃以下の曇り点と；
前記組成物の１００個の炭素原子あたり、少なくとも１．７の末端／ペンダントのプロピル基および末端／ペンダントのエチル基の合計とを含む、潤滑油ベースストック組成物。
【請求項２】
末端／ペンダントのプロピル基の全数が、前記組成物の１００個の炭素原子あたり、０．８６よりも大きいか、または末端／ペンダントのエチル基の全数が、前記組成物の１００個の炭素原子あたり、０．８８よりも大きいか、またはそれらの組合せである、請求項１に記載の潤滑油ベースストック組成物。
【請求項３】
前記潤滑油ベースストック組成物が、−６℃以下の流動点を有する、請求項１に記載の潤滑油ベースストック組成物。
【請求項４】
前記潤滑油ベースストック組成物が、２５℃以下の流動点と曇り点との間の差異を含む、請求項１に記載の潤滑油ベースストック組成物。
【請求項５】
前記潤滑油ベースストック組成物において、エプシロン炭素原子に対する末端／ペンダントのプロピル基の比率が、少なくとも０．０６０であるか、または前記潤滑油ベースストック組成物において、エプシロン炭素原子に対する末端／ペンダントのエチル基の比率が、少なくとも０．０６０であるか、またはそれらの組合せである、請求項１に記載の潤滑油ベースストック組成物。
【請求項６】
前記潤滑油ベースストック組成物において、エプシロン炭素原子に対する末端／ペンダントのプロピル基および末端／ペンダントのエチル基の合計の比率が、少なくとも０．１０である、請求項１に記載の潤滑油ベースストック組成物。
【請求項７】
前記潤滑油ベースストック組成物が、少なくとも１．５の濁度と、０℃以下の曇り点とを有するか、または前記潤滑油ベースストック組成物が、少なくとも２．０の濁度を有するか、または前記潤滑油ベースストック組成物が、４．０以下の濁度を有するか、またはそれらの組合せである、請求項１に記載の潤滑油ベースストック組成物。
【請求項８】
前記潤滑油ベースストック組成物が、少なくとも１０００°Ｆ（５３８℃）のＴ５０蒸留点を含むか、または少なくとも１１５０°Ｆ（６２１℃）のＴ９０蒸留点を含むか、またはそれらの組合せである、請求項１に記載の潤滑油ベースストック組成物。
【請求項９】
前記潤滑油ベースストック組成物が、（ＦＤＭＳによって決定される場合において、）１００個の分子あたり、２個の飽和環を含む分子を少なくとも１７個と、１００個の分子あたり、３個の飽和環を含む分子を少なくとも２０個とを含む、請求項１に記載の潤滑油ベースストック組成物。
【請求項１０】
前記潤滑油ベースストック組成物が、０．１重量％以下のコンラドソン炭素残渣含有量を含む、請求項１に記載の潤滑油ベースストック組成物。
【請求項１１】
前記潤滑油ベースストック組成物が、（ＦＤＭＳによって決定される場合において、）１００個の分子あたり、６個の飽和環を含む分子を７個未満、または１００個の分子あたり、６個以上の飽和環を含む分子を１６個未満含むか、またはそれらの組合せである、請求項１に記載の潤滑油ベースストック組成物。
【請求項１２】
前記粘度指数が少なくとも１００であるか、または１００℃における動粘度が少なくとも２０ｃＳｔであるか、またはそれらの組合せである、請求項１に記載の潤滑油ベースストック組成物。
【請求項１３】
末端／ペンダントのプロピル基の全数が、前記組成物の１００個の炭素原子あたり、０．８６よりも大きいか、または末端／ペンダントのエチル基の全数が、前記組成物の１００個の炭素原子あたり、０．８８よりも大きいか、またはそれらの組合せであり、前記潤滑油ベースストック組成物が、少なくとも２０ｃＳｔの１００℃における動粘度を有する、請求項１に記載の潤滑油ベースストック組成物。
【請求項１４】
前記潤滑油ベースストック組成物において、エプシロン炭素原子に対する末端／ペンダントのプロピル基の比率が少なくとも０．０６３であるか；または前記潤滑油ベースストック組成物において、エプシロン炭素原子に対する末端／ペンダントのエチル基の比率が少なくとも０．０６４であるか；または前記潤滑油ベースストック組成物において、エプシロン炭素原子に対する末端／ペンダントのプロピル基および末端／ペンダントのエチル基の合計の比率が少なくとも０．１３であるか；またはそれらの組合せである、請求項１３に記載の潤滑油ベースストック組成物。
【請求項１５】
前記潤滑油ベースストック組成物が、（ＦＤＭＳによって決定される場合において、）１００個の分子あたり、２個の飽和環を含む分子を少なくとも２０個と、１００個の分子あたり、３個の飽和環を含む分子を少なくとも２２個とを含み、前記潤滑油ベースストック組成物が、任意選択的に、０．０２重量％以下のコンラドソン炭素残渣含有量を含む、
請求項１に記載の潤滑油ベースストック組成物。
【請求項１６】
前記潤滑油ベースストック組成物が、少なくとも９５重量％の飽和含有量を含む、請求項１５に記載の潤滑油ベースストック組成物。
【請求項１７】
前記潤滑油ベースストック組成物が、（ＦＤＭＳによって決定される場合において、）１００個の分子あたり、６個の飽和環を含む分子を７個未満含み、前記潤滑油ベースストック組成物が、任意選択的に、０．１重量％以下のコンラドソン炭素残渣含有量を含む、請求項１に記載の潤滑油ベースストック組成物。
【請求項１８】
前記潤滑油ベースストック組成物が、（ＦＤＭＳによって決定される場合において、）１００個の分子あたり、６個以上の飽和環を含む分子を１６個未満含むか、または１〜３個の飽和環を含む分子の４〜６個の飽和環を含む分子に対する比率が、少なくとも１．１であるか、またはそれらの組合せである、請求項１に記載の潤滑油ベースストック組成物。
【請求項１９】
さらに、少なくとも１種の添加剤を含み、配合された潤滑油を形成する、請求項１に記載の潤滑油ベースストック組成物。
【請求項２０】
少なくとも１種の添加剤が、１種以上の清浄剤、分散剤、抗酸化剤、粘度改質剤および／または流動点抑制剤、消泡剤、および／または防錆剤を含む請求項１９に記載の配合された潤滑油。
【請求項２１】
前記配合された潤滑油が、１種以上の追加的なベースストックをさらに含み、前記１種以上の追加的なベースストックが、溶媒加工（又は溶媒処理）されたベースストック、水素化加工（又は水素化精製又は水素化処理）されたベースストック、合成ベースストック、フィッシャー−トロプシュ（Ｆｉｓｈｅｒ−Ｔｒｏｐｓｃｈ）プロセスから誘導されたベースストック、ＰＡＯおよびナフテン（系）のベースストックを含む、請求項１９に記載の配合された潤滑油。
【請求項２２】
潤滑油ベースストック組成物であって、
少なくとも９００°Ｆ（４８２℃）のＴ１０蒸留点と；
少なくとも８０の粘度指数と；
少なくとも９０重量％の飽和含有量と；
３００ｗｐｐｍ未満の硫黄含有量と；
少なくとも１４ｃＳｔの１００℃における動粘度と；
少なくとも３５０ｃＳｔの４０℃における動粘度と；
−２℃以下の曇り点と；
前記組成物の１００個の炭素原子あたり、少なくとも１．７の末端／ペンダントのプロピル基および末端／ペンダントのエチル基の合計とを含む、潤滑油ベースストック組成物。
【請求項２３】
末端／ペンダントのプロピル基の全数が、前記組成物の１００個の炭素原子あたり、０．８５よりも大きいか、または末端／ペンダントのエチル基の全数が、前記組成物の１００個の炭素原子あたり、０．８５よりも大きい（または０．９０よりも大きい）か、またはそれらの組合せである、請求項２２に記載の潤滑油ベースストック組成物。
【請求項２４】
前記潤滑油ベースストック組成物が、−１０℃以下の流動点、または２５℃以下の流動点と曇り点との間の差異を含むか、またはそれらの組合せである、請求項２２に記載の潤滑油ベースストック組成物。
【請求項２５】
前記潤滑油ベースストック組成物が、前記組成物において、１００個の炭素原子あたり１４．５未満のエプシロン炭素原子を含む、請求項２２に記載の潤滑油ベースストック組成物。
【請求項２６】
前記潤滑油ベースストック組成物において、エプシロン炭素原子に対する末端／ペンダントのプロピル基の比率が、少なくとも０．０６０であるか、または前記潤滑油ベースストック組成物において、エプシロン炭素原子に対する末端／ペンダントのエチル基の比率が、少なくとも０．０６０であるか、またはそれらの組合せである、請求項２２に記載の潤滑油ベースストック組成物。
【請求項２７】
前記潤滑油ベースストック組成物において、エプシロン炭素原子に対する末端／ペンダントのプロピル基および末端／ペンダントのエチル基の合計の比率が、少なくとも０．１０である、請求項２２に記載の潤滑油ベースストック組成物。
【請求項２８】
前記潤滑油ベースストック組成物が、（ＦＤＭＳによって決定される場合において、）１００個の分子あたり、２個の飽和環を含む分子を少なくとも１７個（または１００個の分子あたり、少なくとも２０個）と、１００個の分子あたり、３個の飽和環を含む分子を少なくとも２０個（または１００個の分子あたり、少なくとも２２個）とを含む、請求項２２に記載の潤滑油ベースストック組成物。
【請求項２９】
前記潤滑油ベースストック組成物が、（ＦＴＩＣＲ−ＭＳによって決定される場合において、）１００個の分子あたり、６個の飽和環を含む分子を７個未満と、１００個の分子あたり、７個の飽和環を含む分子を４個未満と、１００個の分子あたり、８個の飽和環を含む分子を２個未満と、１００個の分子あたり、９個の飽和環を含む分子を１個未満とを含む、請求項２２に記載の潤滑油ベースストック組成物。
【請求項３０】
前記潤滑油ベースストック組成物が、（ＦＴＩＣＲ−ＭＳによって決定される場合において、）１００個の分子あたり、６個以上の飽和環を含む分子を１５個未満含むか、または６個以上の飽和環を含む分子の２個の飽和環を含む分子に対する比率が、０．８以下であるか、またはそれらの組合せである、請求項２２に記載の潤滑油ベースストック組成物。
【請求項３１】
前記潤滑油ベースストック組成物が、（ＦＴＩＣＲ−ＭＳによって決定される場合において、）１００個の分子あたり、９個以上の飽和環を含む１個未満の分子と、１００個の分子あたり、２個の飽和環を含む少なくとも１９個の分子と、１００個の分子あたり、３個の飽和環を含む少なくとも２０個の分子とを含む、請求項２２に記載の潤滑油ベースストック組成物。